(57)【要約】【課題】本発明は、光線の利用効率を向上させることができるバックライトアセンブリ及び液晶ディスプレイ装置を提供することを目的とする。【解決手段】本発明に係るバックライトアセンブリは、メイン反射板と、直交変換器と、発光部と、拡散片と、反射片と、を備える。前記直交変換器及び前記発光部は、前記メイン反射板に装着され、前記発光部には、前記直交変換器から電力が供給され、前記発光部の光線は、前記メイン反射板によって前記拡散片に反射された後、前記拡散片によって液晶パネルに均一に照射され、前記反射片は、前記直交変換器をカバーし、光線が前記直交変換器に伝播されることを防止すると共に光線を前記拡散片に反射する。【選択図】図２
2014229622.tif 000002
【特許請求の範囲】
【請求項１】
メイン反射板と、
直交変換器と、
発光部と、
拡散片と、
反射片と、
を備え、液晶ディスプレイ装置のバックボードと液晶パネルとの間に収容されてなるバックライトアセンブリであって、
前記直交変換器及び前記発光部は前記メイン反射板に装着され、前記発光部には前記直交変換器から電力が供給され、前記発光部の光線は、前記メイン反射板によって前記拡散片に反射された後、前記拡散片によって前記液晶パネルに均一に照射され、前記反射片は前記直交変換器をカバーし、光線が前記直交変換器に伝播されることを防止すると共に光線を前記拡散片に反射することを特徴とするバックライトアセンブリ。
【請求項２】
前記メイン反射板から斜めに延伸するサブ反射板を備え、前記メイン反射板及び前記サブ反射板の表面は粗い表面であることを特徴とする請求項１に記載のバックライトアセンブリ。
【請求項３】
複数の固定部が前記サブ反射板から突出し、前記反射片は前記固定部上に固定されていることを特徴とする請求項２に記載のバックライトアセンブリ。
【請求項４】
各前記固定部は上壁を備え、各前記上壁からは柱体が突出し、前記反射片の一側からは複数の突出片が延出し、各前記突出片には前記柱体を挿入させる固定孔が設けられていることを特徴とする請求項３に記載のバックライトアセンブリ。
【請求項５】
前記メイン反射板上に固定された複数の支持部を更に備え、前記支持部は前記発光部及び前記拡散片を支持することを特徴とする請求項１から４の何れか一項に記載のバックライトアセンブリ。
【請求項６】
前記発光部は複数のＵ字状を呈するランプを備え、各前記ランプは、第一発光体と、第二発光体と、第一電極と、第二電極と、を備え、前記第一発光体の両端は、前記第二発光体の一端及び前記第一電極に接続され、前記第二発光体の他端は前記第二電極に接続され、前記第一電極及び前記第二電極は前記直交変換器に接続され、各前記支持部は、連接部と、前記連接部の両端にそれぞれ連接され且つ前記ランプの前記第一発光体及び前記第二発光体をそれぞれ固定する定位部と、を備えることを特徴とする請求項５に記載のバックライトアセンブリ。
【請求項７】
前記各定位部には定位部の両側を貫通する収容スロットが設けられ、前記各収容スロットの切断面はＣ字状を呈し、前記各収容スロットの両側の上端からは、２つの当止部が互いに向けて延伸し、前記ランプの前記第一発光体及び前記第二発光体は、前記定位部の前記収容スロットにそれぞれ係合され、且つ対応する前記当止部に当止されることを特徴とする請求項６に記載のバックライトアセンブリ。
【請求項８】
バックボードと、
請求項１から７のいずれか一項に記載のバックライトアセンブリと、
液晶パネルと、
を備えてなる液晶ディスプレイ装置であって、
前記バックライトアセンブリは、前記バックボードと前記液晶パネルとの間に収容されることを特徴とする液晶ディスプレイ装置。
【発明の詳細な説明】
【技術分野】
【０００１】
本発明は、バックライトアセンブリ及び液晶ディスプレイ装置に関するものである。
【背景技術】
【０００２】
従来の技術において、バックライトアセンブリは、反射板、バックボード、直交変換器、発光部及び拡散片を備える。反射板及び直交変換器はバックボードに設置され、発光部は反射板に設置される。発光部は直交変換器からの電力の供給により発光する。発光部の光線は反射板によって拡散片に反射され、この拡散片によって液晶パネルに均一に拡散する。しかし、光線の一部は直交変換器に伝播され且つ直交変換器に吸収されるので、光線の利用効率は低い。
【発明の概要】
【発明が解決しようとする課題】
【０００３】
本発明の目的は、前記問題を解決し、光線の利用効率を向上させることができるバックライトアセンブリ及び液晶ディスプレイ装置を提供することである。
【課題を解決するための手段】
【０００４】
上記目的を達成するために、本発明に係るバックライトアセンブリは、メイン反射板と、直交変換器と、発光部と、拡散片と、反射片と、を備える。前記直交変換器及び前記発光部は、前記メイン反射板に装着され、前記発光部には、前記直交変換器から電力が供給され、前記発光部の光線は、前記メイン反射板によって前記拡散片に反射された後、前記拡散片によって液晶パネルに均一に照射され、前記反射片は前記直交変換器をカバーし、光線が前記直交変換器に伝播されることを防止すると共に光線を前記拡散片に反射する。
【発明の効果】
【０００５】
本発明に係るバックライトアセンブリには、直交変換器をカバーする反射片が設置され、前記反射片は、光線が直交変換器に伝播されることを防止すると共に、光線を拡散片に反射できるので、光線の利用効率を向上することができる。
【図面の簡単な説明】
【０００６】
【図１】本発明の実施形態に係る液晶ディスプレイ装置の分解斜視図である。
【図２】図１に示す液晶ディスプレイ装置の反射片がサブ反射板に装着された状態を示す図である。
【図３】図１に示すＩＩＩ部分の拡大図である。
【発明を実施するための形態】
【０００７】
図１に示したように、本発明の実施形態に係る液晶ディスプレイ装置９００は、バックライトアセンブリ１００と、バックボード２００と、液晶パネル３００と、を備える。液晶パネル３００は、バックボード２００に装着され、この際、バックボード２００と液晶パネル３００との間にはバックライトアセンブリ１００を収容する空間が形成される。本実施形態において、バックボード２００はプラスチックから製造される。
【０００８】
バックライトアセンブリ１００は、メイン反射板１２と、サブ反射板１４と、直交変換器１５と、発光部１６と、複数の支持部１８と、拡散片２０と、反射片２２と、を備える。
【０００９】
メイン反射板１２は、直方体を呈する。サブ反射板１４は、メイン反射板１２の側辺から斜め上方に延出している。メイン反射板１２及びサブ反射板１４はバックボード２００に一体形成され、メイン反射板１２、サブ反射板１４、バックボード２００は、白色のプラスチック、例えば、ポリカーボネート又はアルキルベンゼンスルホン酸塩に酸化チタンを加えたものから製造される。これによって、メイン反射板１２及びサブ反射板１４の反射効果が向上される。
【００１０】
直交変換器１５は、メイン反射板１２のサブ反射板１４に隣接する一側に固定される。発光部１６は、直交変換器１５に電気的に接続され、直交変換器１５からの電力の供給によって発光できる。また、一列に配列された３つの固定部１４０は、サブ反射板１４から突出している。他の実施形態において、固定部１４０の数量は、２つ或いは３つ以上であってもよい。
【００１１】
図２に示したように、反射片２２は固定部１４０の上面に固定され且つ直交変換器１５をカバーする。これによって、発光部１６から照射される光線は直交変換器１５に伝播されるのを防止することができる。
【００１２】
各固定部１４０は、サブ反射板１４からメイン反射板１２の長手方向に平行に突出してそれぞれ設置された第一側壁１４２及び第二側壁１４４と、第一側壁１４２及び第二側壁１４４の上端を連接してメイン反射板１２における拡散片２０と対向する面と平行に設置された上壁１４５と、上壁１４５の上面から突出する柱体１４６と、を備える。また、反射片２２の一側からは、複数の突出片２２０が突出している。各突出片２２０には固定孔２２２がそれぞれ設けられており、柱体１４６をこの固定孔２２２にそれぞれ係合させることで、反射片２２をサブ反射板１４に固定する。
【００１３】
複数の支持部１８はメイン反射板１２から突出し且つ発光部１６を支持する。これにより、発光部１６はメイン反射板１２の上方に位置する。また、複数の支持部１８は、拡散片２０がバックボード２００の上方に位置するように支持する。
【００１４】
拡散片２０がバックボード２００の上方に支持され、液晶パネル３００がバックボード２００上に固定されるので、発光部１６が発光する際、光線は、メイン反射板１２、反射片２２及びサブ反射板１４によって拡散片２０に反射された後、拡散片２０によって液晶パネル３００に均一に照射される。これによって、液晶パネル３００は映像を表示できる。
【００１５】
反射片２２は、直交変換器１５をカバーして、発光部１６から照射される光線が直交変換器１５に伝播されることを防止すると共に、該光線を拡散片２０に反射できるので、光線の利用効率を向上させることができる。
【００１６】
発光部１６は複数のＵ字状を呈するランプを備え、各ランプは第一発光体１６０と、第二発光体１６２と、第一電極１６３と、第二電極１６４と、を備える。第一発光体１６０の両端は、第二発光体１６２の一端及び第一電極１６３に接続される。第二発光体１６２の他端は第二電極１６４に接続され、第一電極１６３及び第二電極１６４は、直交変換器１５に接続される。
【００１７】
図３に示したように、各支持部１８は、メイン反射板１２に固定されるベース１８０と、ベースの上部に連接された細長い形状の連接部１８１と、連接部１８１の両端にそれぞれ設置された２つの定位部１８２と、連接部１８１の中央から上方へ延伸し且つ拡散片２０を支持する支持ピン１８９と、を備える。各定位部１８２の上端には定位部１８２の両側を貫通する収容スロット１８４が設けられている。各収容スロット１８４の切断面は、Ｃ字状を呈する。各収容スロット１８４の両側の上端からは、２つの当止部１８６が互いに向けて延伸している。ランプの第一発光体１６０及び第二発光体１６２は、定位部１８２の収容スロット１８４にそれぞれ係合され、且つ対応する当止部１８６に当止される。
【００１８】
メイン反射板１２及びサブ反射板１４の表面は粗い表面であり、光線を効果的に反射できる。
【符号の説明】
【００１９】
１００  バックライトアセンブリ
１２  メイン反射板
１４  サブ反射板
１４０  固定部
１４２  第一側壁
１４４  第二側壁
１４５  上壁
１４６  柱体
１５  直交変換器
１６  発光部
１６０  第一発光体
１６２  第二発光体
１６３  第一電極
１６４  第二電極
１８  支持部
１８０  ベース
１８１  連接部
１８２  定位部
１８４  収容スロット
１８６  当止部
１８９  支持ピン
２０  拡散片
２００  バックボード
２２  反射片
２２０  突出片
２２２  固定孔
３００  液晶パネル
９００  液晶ディスプレイ装置
【図１】
2014229622.tif 000003
【図２】
2014229622.tif 000004
【図３】
2014229622.tif 000005